(57)【要約】      （修正有）【課題】  カラー液晶パネルの裏側に設置されている通称バックライト冷陰極蛍光ランプの改良に係わり、放電特性、発光能率特性、寿命特性、放電子線の局部不均一による蛍光体発光の劣化を防止する。【解決手段】  本発明の冷陰極環状構体のカール部は円面放電，山形部は，平行放電，双方の放電効果で，電子密度が倍増し，放電特性，輝度特性，寿命特性向上に効果を得た。【選択図】  図３
2006344568.tif 000002
【特許請求の範囲】
【請求項１】
カラー液晶パネル用冷陰極構体において本発明は，円筒形をなす、ニッケル金属系電極（円筒の板厚：０．１０〜０．２０ｍｍ）端部を覆う一対のモリブデン金属系に，カール部，略，円筒直径の１／３の中空円筒に（３０度角度）を設計，前者、カールは円弧と直角をなす放射状の全領域均一な放電電子線を発生し，蛍光体の管内における均一輝度特性を得る手段と，中空円筒の山形の頂点より発生する管軸に対し平行な放電電子線により、倍増の電子密度によって，放電特性，発光能率特性，寿命特性向上を得ることを特徴とするカラー液晶用冷陰極ランプ。
【発明の詳細な説明】
【発明の詳細な説明】
【電子、機械、映像の産業上の分野】
【０００１】      本発明は，カラー液晶パネルの裏側に設置されている通称バックライト冷陰極蛍光ランプの改良に係り，放電特性，発光能率特性，寿命特性，放電子線の局部不均一による蛍光体発光の劣化を防止する内容である。
【背景技術】
【０００２】      従来は通常カラー液晶パネルの裏側に設置されているバックライト，図１に示す，如く、冷陰極蛍光ランプ（１０）の横断図面である。硝子管（１）の内面に塗布された蛍光体物質（赤色，緑色、青色）（２）を形成している。硝子管（１）と，環状電極（３）と接続線（４）は，溶接で電気的普通されている。接続線は一般にコバール系金属，硝子封着金属系のジュメット線構成し，コバール系は，選択酸化炉によって，酸化膜を形成し，硝子管（１）と気密封止される。硝子管（１）内部に，不活性が（アルゴン  ヘリューム）（６）と微量の水銀（Ｈｇ）（７）が封入される。環状電極（３）に高電圧を印加すると放電（５）が開始される。環状電極（３）より，電子線（１５ａ）が発生し，封入不活性ガス（６）の原子と衝突により励起され、紫外線（９）波長２５３．７ｎｍが発生し，この紫外線（９）が蛍光体（２）、発光色（赤色，緑色、青色）の可視光域に変換されて発光する。従来環状電極（３）は、ニッケル金属系で，水銀（Ｈｇ）（７）蒸気と衝突し，水銀アマルガスが徐徐に環状電極（３）は環状電極（３）に付着して放電特性の低下、並びに電子線（８）放射量が減少し，発光能率を低下する欠点があった。さらに，環状電極（３）の端部にスリ傷，打痕，微小な突起が原因で，それらの局部的箇所より集中して不均一放電（１５）が起こり，蛍光体（２）の膜焼けが生じ，発光特性，劣化不良要因となっていた。また環状電極（３）は直径（φ１．６０〜φ２．７０ｍｍ）の深絞り，円筒プレス加工によって，形成されている先端縁部に，微小な傷、パリ，打痕等が除去されていないと，その縁部の放電が局部的に電子（８）が集中放射を蛍光体（２）に受け，徐除に焼けて発光特性劣化を生じ，発光を妨げる欠陷があった。冷陰極蛍光ランプの平均寿命時間：２０，０００。２０，０００（時間）の保証未達の要因となっていた。本発明は，その欠点を解決する冷陰極蛍光ランプを以下提供する。
【具体的カラー液晶パネル冷陰極蛍光ランプの内容】
【０００３】      図２によって説明する。
本発明は，カラー液晶パネルの裏側に設置するバックライト，即ち，冷陰極蛍光ランプ（２０）の冷陰極電極構体の発明に関する。硝子管（１１）の内部に，蛍光体物質（赤色，緑色、青色）（１２）を塗布形成し，硝子管（１１）の内部に不活性（１６）と微量の水銀（Ｈｇ）（１７）を封入する。本発明の冷陰極環状電極構体（１３）と，接続線（１４）と溶接され、硝子管（１１）双方両端部に気密封止される。環状電極構体（１３）に，高電圧を印加すると，カール部（１３ａ）山形部（１３ｂ）より，放電（１５）が開始する。カール部（１３ａ）の放電（１５）は，硝子管（１１）と蛍光体（１２）の同軸において，全領域均一な指向性の放電（１５）と，冷陰極環状構体（１３）の中空円筒に設けた。山形部（１３ｂ）実施例では，３０°三角片を複数個以上設けて，その頂点より，管軸に平行な指向性で放電（１５）する。
謂，電子線（１８ａ）と電子線（１８ｂ）と，双方が，水活性ガス（１６）と水銀（１７）の原子と衝突して励起し，紫外線（１９）の波長２５３．７ｎｍ発生し，この紫外線（１９）が蛍光体（１２）を励起して発光する応用原理である。電子線（１８ａ）と電子線（１８ｂ）双方の和により電子密度量が多く発光効率を高めた。放電特性，輝度特性，寿命特性に効果が待ちられた。また電子密度が多いため，電圧制御との関係を下記に示す。
電子密度量と電圧の関係式（下表）
2006344568.tif 000003
＊約３０（％）電圧消費電力削減
カラー液晶ＴＶの電力削減効果と寿命特性技術規格５０，０００（時間）を実証した。
図３    本発明の冷陰極環状構体（３０）の具体例を示す。モリブデン金属系の一対をなす。環状周辺に沿うカール部（３１）と中空円筒に山形部（３２）３０°三角形を複数個以上形成する。
ニッケル金属系環状電極（３３）の外径とカール部（３１）の内径と圧入嵌合によって、溶接固定される。この冷陰極環状構体（３０）の電気的特性作用効果は，カール部（３１）は円面放電山形部（３２）は，平行放電を特徴として，ニッケル金属環体電極（３３）に水銀・アマルガムの付着と防止して，寿命特性の向上性を計ることが実証できた。
図４    本発明のモリブデン系金属による，冷陰極電極の断面部分図で，カール部（１４ａ）と非球面部（１４ｂ）を一対で構成し，従来のニッケル金属系冷陰極（４３）の外径と端部が覆い被るように嵌合溶接固定される。冷陰極環状電極構体（４０）に、高電圧を印加すると，カール部（１４ａ）と非球面（１４ｂ）より電子線が放射状に発生し，管内放電が開始され，蛍光体が発光する。
本発明の冷陰極環状電極構体（４０）によって，ニッケル金属系の電極（４３）に水銀アマルガム付着防止と放電特性（電子密度大）発光能率向上の効果が実証された。
【図面の簡単な説明】
【図１】従来の冷陰極蛍光ランプの横断面図。
【図２】本発明の冷陰極蛍光ランプの横断図。
【図３】本発明の冷陰極環状構体断面図。
【図４】本発明のモリブデン冷陰極環状電極円面構体，断面図。
【符号の説明】
（１０）（２０）                      冷陰極蛍光ランプ
（１）  （１１）                      硝子管
（２）  （１２）                      蛍光体（赤色、緑色、青色）
（３）  （１３）（３３）              環状電極
（１３ａ）（１４ａ）（３２）  カール部
（１３ｂ）（１４ｂ）（３２）  山形部，環状円面部
（４）  （１４）                      接続線
（５）  （１５）                      放電
（６）  （１６）                      不活性ガス
（７）  （１７）                      水銀
（８）  （１８）（１８ｂ）            電子線
（９）  （１９）                      紫外線
（３０）（４０）              冷陰極環状構体，冷陰極環状円面構体
【図１】
2006344568.tif 000004
【図２】
2006344568.tif 000005
【図３】
2006344568.tif 000006
【図４】
2006344568.tif 000007